(57)【要約】【課題】ベース材の深さにかかわらず駒体を仮保持できる配線・配管材保持台座を提供する。【解決手段】本配線・配管材保持台座１は、底壁５、側壁６ａ、６ｂ、リップ部７ａ、７ｂ及び開口部８を有する略Ｃ字状の一定断面のベース材２と、２つの係止部１５、１６と保持部材取付部１８とを有する本体部を備え、一方の側壁の内面に弾接する弾接片２１が本体部から延設された駒体３と、からなる。また、本体部における弾接片２１が形成された側との反対側には、他方の側壁６ｂ側のリップ部７ｂの内面１２に係止する係止部１６に隣接し、他方の側壁６ｂ側のリップ部７ｂの先端１３に当接するリップ部先端当接部４８が設けられている。そして、弾接片２１の弾発力により駒体３のリップ部先端当接部４８が他方の側壁６ｂ側のリップ部７ｂの先端１３に押圧されることにより、駒体３の本体部は、ベース材２の底壁５から離間した位置に仮保持され得る。【選択図】図３
2019041479.tif 000002
【特許請求の範囲】
【請求項１】
底壁と、該底壁から立設する一対の側壁と、該各側壁の先端から互いに他側の前記側壁に向けて延びるリップ部と、該一対のリップ部の間に形成された開口部と、を有する略Ｃ字状の一定断面のベース材と、
前記開口部から挿入されて前記両リップ部の内面にそれぞれ係止する２つの係止部と、配線・配管材を保持する保持部材が取り付けられる保持部材取付部と、を有する本体部を備え、一方の前記側壁の内面に弾接する弾接片が前記本体部から延設された駒体と、
からなり、
前記弾接片の弾発力により前記駒体の本体部における前記弾接片が形成された側の反対側が前記他方の側壁側へと押圧されることにより、前記駒体の本体部は、前記ベース材の底壁から離間した位置に仮保持され得ることを特徴とする配線・配管材保持台座。
【請求項２】
底壁と、該底壁から立設する一対の側壁と、該各側壁の先端から互いに他側の前記側壁に向けて延びるリップ部と、該一対のリップ部の間に形成された開口部と、を有する略Ｃ字状の一定断面のベース材と、
前記開口部から挿入されて前記両リップ部の内面にそれぞれ係止する２つの係止部と、配線・配管材を保持する保持部材が取り付けられる保持部材取付部と、を有する本体部を備え、一方の前記側壁の内面に弾接する弾接片が前記本体部から延設された駒体と、
からなり、
前記弾接片の弾発力により前記駒体の本体部における前記弾接片が形成された側の反対側が前記他方の側壁側へと押圧されることにより、前記駒体の本体部は、前記開口部の延びる方向に沿った移動が規制されることを特徴とする配線・配管材保持台座。
【請求項３】
前記本体部における前記弾接片が形成された側との反対側には、他方の前記側壁側のリップ部における前記底壁と対向するリップ部内面に係止する前記係止部に隣接し、前記他方の側壁側のリップ部における、前記一方の側壁側のリップ部と対向する先端に当接するリップ部先端当接部が設けられていることを特徴とする請求項１または請求項２に記載の配線・配管材保持台座。
【請求項４】
前記駒体の本体部を前記弾接片側から、前記ベース材の開口部に挿入し、前記本体部の反弾接片形成側を前記開口部に挿入する方向へと傾動させることで、前記弾接片が弾性変形し、前記反弾接片形成側が前記開口部から内部に挿入されることを特徴とする請求項１乃至請求項３のいずれかに記載の配線・配管材保持台座。
【請求項５】
前記駒体のリップ部先端当接部は、前記駒体が前記ベース材の底壁に当接した状態で、該ベース材のリップ部の先端に当接することを特徴とする請求項１乃至請求項４のいずれかに記載の配線・配管材保持台座。
【請求項６】
前記駒体の係止部が前記ベース材のリップ部内面に係止した状態で、前記駒体の本体部の前記開口部から外方に臨む箇所は、前記ベース材の側壁の先端側外面よりも突出しないことを特徴とする請求項１乃至請求項５のいずれかに記載の配線・配管材保持台座。
【請求項７】
請求項１乃至請求項６のいずれかに記載の配線・配管材保持台座と、
前記駒体の保持部材取付部に取り付けられる保持部材と、
からなり、
前記保持部材は、前記ベース材に配線・配管材を押し付けるとともに、該配線・配管材と前記駒体の係止部とで前記ベース材のリップ部を挟持するようにして該配線・配管材を保持することを特徴とする配線・配管材保持装置。
【請求項８】
前記保持部材は、前記配線・配管材を締結可能なバンド体からなり、
前記保持部材取付部は、前記係止部が係止する前記リップ部に沿って延びる方向に貫通形成された貫通孔からなることを特徴とする請求項７に記載の配線・配管材保持装置。
【請求項９】
前記駒体は、前記バンド体を前記保持部材取付部の貫通孔に挿通した状態で、前記ベース材の開口部から挿入可能であることを特徴とする請求項８に記載の配線・配管材保持装置。
【発明の詳細な説明】
【技術分野】
【０００１】
本発明は、天井や壁面等の構造物に対してケーブル等の配線や電線管、給水管、給湯管等の配管材を保持するための配線・配管材保持台座及び配線・配管材保持装置に関するものである。
【背景技術】
【０００２】
従来の配線保持構造として、天井や壁面等の構造物に対してケーブル等の配線を保持するためのものが一般に知られている（例えば、特許文献１等参照）。この特許文献１には、例えば、図１３に示すように、天井や壁面等の構造物に取り付けられる略Ｃ字状の一定断面のベース材１０２と、ベース材１０２の開口部１０８から挿入される駒体１０３と、駒体１０３に形成された貫通孔１３６に挿通されて配線１１０を結束するバンド体１１７と、を備える配線保持構造１０１が記載されている。この配線保持構造１０１では、駒体１０３には、その底部に弾性脚部１２１が設けられ、その上部に係止部１１５が設けられ、駒体１０３をベース材１０２の開口部１０８から挿入してから回転させて９０度向きを変えることで、弾性脚部１２１がベース材１０２の底壁１０５に弾接するとともに、その弾接により係止部１１５がベース材１０２のリップ部１０７の内面に係止して、ベース材１０２に対して駒体１０３が仮保持される。そして、仮保持された駒体１０３の貫通孔１３６にバンド体１１７を挿通し、挿通されたバンド体１１７により配線１１０を結束して保持する。
【先行技術文献】
【特許文献】
【０００３】
【特許文献１】実開昭６３−１５６５１４号公報
【発明の概要】
【発明が解決しようとする課題】
【０００４】
しかし、特許文献１に記載された配線保持構造１０１では、駒体１０３には、その底部にベース材１０２の底壁１０５に弾接する弾性脚部１２１が設けられ、その上部にベース材１０２のリップ部１０７に係止する係止部１１５が設けられているので、弾性脚部１２１の弾発力によりベース材１０２のリップ部１０７と底壁１０５との間に駒体１０５が仮保持される。そのため、ベース材１０２のリップ部１０７から底壁１０５までの深さが大きく異なるものには対応できない。例えば、深形のベース材に合わせて形成された駒体１０５では、浅形のベース材に挿入し難い。逆に、浅形のベース材に合わせて形成された駒体１０５では、深形のベース材に挿入しても、係止部１１５がリップ部１０７に届かずに係止できない。
【０００５】
そこで、本発明は、ベース材の深さにかかわらず駒体を仮保持できる配線・配管材保持台座及び配線・配管材保持装置の提供を課題とするものである。
【課題を解決するための手段】
【０００６】
請求項１の配線・配管材保持台座は、底壁と、該底壁から立設する一対の側壁と、該各側壁の先端から互いに他側の前記側壁に向けて延びるリップ部と、該一対のリップ部の間に形成された開口部と、を有する略Ｃ字状の一定断面のベース材と、前記開口部から挿入されて前記両リップ部の内面にそれぞれ係止する２つの係止部と、配線・配管材を保持する保持部材が取り付けられる保持部材取付部と、を有する本体部を備え、一方の前記側壁の内面に弾接する弾接片が前記本体部から延設された駒体と、からなり、前記弾接片の弾発力により前記駒体の本体部における前記弾接片が形成された側の反対側が前記他方の側壁側へと押圧されることにより、前記駒体の本体部は、前記ベース材の底壁から離間した位置に仮保持され得るものである。
【０００７】
請求項２の配線・配管材保持台座は、底壁と、該底壁から立設する一対の側壁と、該各側壁の先端から互いに他側の前記側壁に向けて延びるリップ部と、該一対のリップ部の間に形成された開口部と、を有する略Ｃ字状の一定断面のベース材と、前記開口部から挿入されて前記両リップ部の内面にそれぞれ係止する２つの係止部と、配線・配管材を保持する保持部材が取り付けられる保持部材取付部と、を有する本体部を備え、一方の前記側壁の内面に弾接する弾接片が前記本体部から延設された駒体と、からなり、前記弾接片の弾発力により前記駒体の本体部における前記弾接片が形成された側の反対側が前記他方の側壁側へと押圧されることにより、前記駒体の本体部は、前記開口部の延びる方向に沿った移動が規制されるものである。
【０００８】
請求項３配線・配管材保持台座は、特に、前記本体部における前記弾接片が形成された側との反対側に、他方の前記側壁側のリップ部における前記底壁と対向するリップ部内面に係止する前記係止部に隣接し、前記他方の側壁側のリップ部における、前記一方の側壁側のリップ部と対向する先端に当接するリップ部先端当接部が設けられている。
【０００９】
請求項４の配線・配管材保持台座は、特に、前記駒体の本体部を前記弾接片側から、前記ベース材の開口部に挿入し、前記本体部の反弾接片形成側を前記開口部に挿入する方向へと傾動させることで、前記弾接片が弾性変形し、前記反弾接片形成側が前記開口部から内部に挿入される。
請求項５の配線・配管材保持台座は、特に、前記駒体のリップ部先端当接部は、前記駒体が前記ベース材の底壁に当接した状態で、該ベース材のリップ部の先端に当接する。
請求項６の配線・配管材保持台座は、特に、前記駒体の係止部が前記ベース材のリップ部内面に係止した状態で、前記駒体の本体部の前記開口部から外方に臨む箇所は、前記ベース材の側壁の先端側外面よりも突出しない。
【００１０】
請求項７の配線・配管材保持装置は、請求項１乃至請求項６のいずれかに記載の配線・配管材保持台座と、前記駒体の保持部材取付部に取り付けられる保持部材と、からなり、前記保持部材は、前記ベース材に配線・配管材を押し付けるとともに、該配線・配管材と前記駒体の係止部とで前記ベース材のリップ部を挟持するようにして該配線・配管材を保持するものである。
請求項８の配線・配管材保持装置は、特に、前記保持部材は、前記配線・配管材を締結可能なバンド体からなり、前記保持部材取付部は、前記係止部が係止する前記リップ部に沿って延びる方向に貫通形成された貫通孔からなる。
請求項９の配線・配管材保持装置は、特に、前記駒体は、前記バンド体を前記保持部材取付部の貫通孔に挿通した状態で、前記ベース材の開口部から挿入可能である。
【発明の効果】
【００１１】
請求項１及び請求項２の発明は、底壁、側壁、リップ部及び開口部を有する略Ｃ字状の一定断面のベース材と、２つの係止部と保持部材取付部とを有する本体部を備え、ベース材の一方の側壁の内面に弾接する弾接片が本体部から延設された駒体と、からなるので、弾接片の弾発力により駒体のリップ部先端当接部が他方の側壁側のリップ部の先端に押圧されることで、ベース材の一方の側壁と他方の側壁側のリップ部との間に駒体が仮保持される。そのため、ベース材の深さにかかわらず駒体を仮保持できる。
そして、請求項１の発明は、駒体の本体部が、ベース材の底壁から離間した位置に仮保持されるので、保持部材取付部がベース材の開口部の近傍に位置するように駒体を仮保持できる。このため、保持部材取付部に対して保持部材を容易に取り付け得るとともに、保持部材により配線・配管材を容易に締結して保持できる。
また、請求項２の発明は、駒体の本体部が、開口部の延びる方向に沿った移動が規制されるので、駒体のベース材の長手方向への自由移動が規制される。このため、ベース材が縦向き等に配設される場合でも、駒体が自然落下したり移動するのを防止できるので、保持部材で締結する際に駒体を保持している必要がなく、作業性が向上する。
更に、請求項３の発明は、本体部における前記弾接片が形成された側との反対側に、他方の側壁側のリップ部における、前記一方の側壁側のリップ部と対向する先端に当接するリップ部先端当接部が設けられているので、請求項１、請求項２と同様の効果を奏する。
【００１２】
請求項４の発明は、前記駒体の本体部を前記弾接片側から、前記ベース材の開口部に挿入し、前記本体部の反弾接片形成側を前記開口部に挿入する方向へと傾動させることで、前記弾接片が弾性変形し、前記反弾接片形成側が前記開口部から内部に挿入されるので、従来のように、駒体をベース座の開口部から挿入した後、駒体を９０度回して取り付けたりする場合に比べて、ベース材の開口部の外方から駒体を容易に挿入して仮保持できる。
請求項５の発明は、前記駒体のリップ部先端当接部は、前記駒体が前記ベース材の底壁に当接した状態で、該ベース材のリップ部の先端に当接するので、駒体は、ベース材の底壁上に落ち込んでも、正規の姿勢を維持した状態で、ベース材の長手方向にずれない。
請求項６の発明は、前記駒体の係止部が前記ベース材のリップ部内面に係止した状態で、前記駒体の本体部の前記開口部から外方に臨む箇所は、前記ベース材の側壁の先端側外面よりも突出しないので、保持部材の取り付けや配線・配管材の保持の際に駒体が邪魔にならず、作業性が高められる。
【００１３】
請求項７の発明は、請求項１乃至請求項６のいずれかに記載の配線・配管材保持台座と、駒体の保持部材取付部に取り付けられる保持部材と、からなり、保持部材は、ベース材に配線・配管材を押し付けるとともに、配線・配管材と駒体の係止部とでベース材のリップ部を挟持するようにして配線・配管材を保持するので、少なくとも請求項１又は２の発明と略同様の効果を奏し、リップ部の挟持により保持部材がリップ部を押し付けて、駒体が開口部の長手方向にずれるのを抑制できるとともに、保持部材により配線・配管材を強固且つ安定的に保持できる。
請求項８の発明は、前記保持部材は、前記配線・配管材を締結可能なバンド体からなり、前記保持部材取付部は、前記係止部が係止する前記リップ部に沿って延びる方向に貫通形成された貫通孔からなるので、バンド体は、ベース材に配線・配管材を押し付けるとともに、配線・配管材と駒体の係止部とでベース材のリップ部を挟持するようにして配線・配管材を保持する。そのため、バンド体により配線・配管材を強固且つ安定的に締結して保持できる。
請求項９の発明は、前記駒体は、前記バンド体を前記保持部材取付部の貫通孔に挿通した状態で、前記ベース材の開口部から挿入可能であるので、予め貫通孔にバンド体を挿通した駒体をベース材の開口部から挿入して仮保持できる。そのため、バンド体により配線・配管材を迅速に締結して保持できる。
【図面の簡単な説明】
【００１４】
【図１】本発明の実施形態の配線・配管材保持台座を備える配線・配管材保持装置の斜視図である。
【図２】図１の配線・配管材保持装置の分解斜視図である。
【図３】図１の配線・配管材保持装置の断面図を示し、（ａ）は図１のＡ−Ａ線断面図、（ｂ）は図１のＢ−Ｂ線断面図である。
【図４】本発明の実施形態の駒体の斜視図を示し、（ａ）は反弾接片形成側の斜め上方から見た斜視図、（ｂ）は弾接片側の斜め上方から見た斜視図、（ｃ）は弾接片側の斜め下方から見た斜視図である。
【図５】図４の駒体を示し、（ａ）は平面図、（ｂ）は反弾接片形成側から見た正面図、（ｃ）弾接片側から見た背面図である。
【図６】図４の駒体を示し、（ａ）は側面図、（ｂ）は図５のＣ−Ｃ線断面、（ｃ）は図５のＤ−Ｄ線断面図である。
【図７】上記配線・配管材保持台座を用いてケーブルを保持する方法を説明するための説明図を示し、（ａ）は駒体の弾接片側をベース材の開口部に挿入した状態の斜視図、（ｂ）は駒体の弾接片側をベース材の開口部に挿入した状態の断面図、（ｃ）は弾接片がベース材の一方の側壁に弾接した状態の断面図、（ｄ）は駒体をベース材の底板に当接した位置に仮保持した状態の断面図である。
【図８】上記配線・配管材保持台座を用いてケーブルを保持する方法を説明するための説明図を示し、（ａ）は駒体をベース材の底壁から離間した位置に仮保持した状態の断面図、（ｂ）は駒体の貫通孔にバンド体を挿通する途中の状態の断面図、（ｃ）は貫通孔に挿通されたバンド体でケーブルを締結した状態の斜視図、（ｄ）は貫通孔に挿通されたバンド体でケーブルを締結した状態の断面図である。
【図９】上記駒体を深形のベース材に仮保持する方法を説明するための説明図を示し、（ａ）は駒体の弾接片側をベース材の開口部に挿入した状態の断面図、（ｂ）は弾接片がベース材の一方の側壁に弾接した状態の断面図、（ｃ）は駒体をベース材の底板から離間した位置に仮保持した状態の断面図である。
【図１０】上記駒体を深形のベース材に仮保持する他の方法を説明するための説明図を示し、（ａ）は駒体をベース材内に挿入した状態の断面図、（ｂ）は弾接片がベース材の一方の側壁に弾接した状態の断面図、（ｃ）は駒体をベース材の底板から離間した位置に仮保持した状態の断面図である。
【図１１】上記駒体をベース材に仮保持する更なる他の方法を説明するための説明図を示し、（ａ）は駒体の貫通孔にバンド体を挿通した状態の斜視図、（ｂ）はバンド体が挿通された駒体の弾接片側をベース材の開口部に挿入した状態の斜視図、（ｂ）は駒体を仮保持した状態の斜視図である。
【図１２】上記駒体をベース材に仮保持する更なる他の方法を説明するための説明図を示し、（ａ）は駒体をベース材の側方端部から挿入する前の状態の斜視図、（ｂ）は駒体を仮保持した状態の斜視図である。
【図１３】従来の配線保持構造を説明するための説明図を示し、（ａ）は駒体の斜視図、（ｂ）は駒体をベース材の開口部から挿入した状態の一部断面図、（ｃ）はバンド体で配線を締結した状態の一部断面図である。
【発明を実施するための形態】
【００１５】
以下、本発明の実施形態の配線・配管材保持台座及び配線・配管材保持装置を図に基づいて説明する。なお、本実施形態では、配線・配管材として、電線に外皮を被せたケーブルを例示する。
【００１６】
図１乃至図３において、配線・配管材保持装置Ｄは、天井や壁面等の構造物に対してケーブル１０を保持するためのものである。この配線・配管材保持装置Ｄは、配線・配管材保持台座１と、請求項１の保持部材に該当し、ケーブル１０を締結して保持するバンド体１７と、を備えている。この配線・配管材保持台座１は、天井や壁面等の構造物に取り付けられる鋼材製のベース材２と、ベース材２に対してケーブル１０を保持するための合成樹脂製の駒体３と、を備えている。以下、各構成部について詳細に説明する。
【００１７】
上記ベース材２は、平板状の底壁５と、底壁５の両縁側から立設する平板状の一対の側壁６ａ、６ｂと、各側壁６ａ、６ｂの先端から互いに他側の側壁に向けて延びる一対のリップ部７ａ、７ｂと、一対のリップ部７ａ、７ｂの間に形成された平面矩形状の開口部８と、を備えている。このベース材２は、略Ｃ字状の一定断面を長手方向に沿って有している。ただし、ベース材２の底壁５には、構造物にベース材２を取り付けるための取付孔９が形成されているため、ベース材２の略Ｃ字状の断面は長手方向に沿って一定断面で厳密に連続しておらず略連続している。また、リップ部７ａ、７ｂの先端側には、底壁５側に向かって延びる曲折部１１が設けられている。この曲折部１１の底壁５と対向する面は、駒体３の後述する係止部１５、１６が係止するリップ部の内面１２とされている。また、一方のリップ部７ａ（７ｂ）の曲折部１１において他方のリップ部７ｂ（７ａ）の曲折部１１と対向する面は、駒体３の後述するリップ部先端当接部４８が当接するリップ部の先端１３とされている。なお、本実施形態では、上記リップ部７ａ、７ｂと底壁５との間隔が比較的小さな浅形のベース材２（図３参照）と、リップ部７ａ、７ｂと底壁５との間隔が比較的大きな深形のベース材２（図９参照）と、を例示する。
【００１８】
上記駒体３は、図４乃至図６に示すように、ベース材２の開口部８から挿入されて両リップ部７ａ、７ｂの内面１２にそれぞれ係止する２つの係止部１５、１６と、ケーブル１０を保持するバンド体１７が取り付けられる保持部材取付部１８と、を有する本体部１９を備えている。この本体部１９は、平面略矩形状に形成されており、ベース材２の開口部８の幅よりも大きな外形を有している。また、本体部１９の側面には、一方の側壁６ａ（６ｂ）の内面に弾接する弾接片２１が外方に向かって一体に延設されている。なお、本実施形態では、駒体３の平面視において、本体部１９の弾接片側（即ち、弾性片２１が形成された側）と反弾接片形成側（即ち、弾接片２１が形成された側と反対側）とを結ぶ方向を前後方向Ｐとするとともに、前後方向Ｐと直交する方向を左右方向Ｑとする。
【００１９】
上記係止部１５は、本体部１９の弾接片側に設けられており、係止部１６は、本体部１９の反弾接片形成側に設けられている。これら各係止部１５、１６は、本体部１９の左右方向Ｑに延びている。また、各係止部１５、１６の上面には、滑り止め用の突条２３が左右方向Ｑに並設されている。また、各係止部１５、１６がベース材２のリップ部の内面１２に係止した状態では、駒体３の本体部１９の開口部８から外方に臨む箇所は、ベース材２の側壁６ａ、６ｂの先端側外面よりも突出しない（図３（ａ）参照）。また、本体部１９の下側には、ベース材２の底壁５上に載置可能な一対の脚部２４、２５が設けられている。この脚部２４は、本体部１９の弾接片側（具体的に、本体部１９の係止部１５の直下）に設けられており、脚部２６は、本体部１９の反弾接片形成側（具体的に、本体部１９の係止部１６の直下）に設けられている。また、各脚部２４、２５は、本体部１９の左右方向Ｑに延びている。また、本体部１９の反弾接片形成側の脚部２５には、先端側に向かって本体部１９の内側に傾斜する傾斜面２６が形成されている。この傾斜面２６は、駒体３の弾接片側をベース材２の開口部８に挿入したときに、リップ部７ａ、７ｂに当接して駒体３の傾動動作を補助するようになっている（図７（ｃ）参照）。さらに、本体部１９の弾接片側の脚部２４の底側には、本体部１９の左右方向Ｑで弾接片２１と一致する位置に上方に凹む凹部２７が形成されている（図４（ｃ）参照）。なお、上記各係止部としては、例えば、３つ以上を備える形態を採用してもよく、左右方向Ｑに連続していても、分断された複数の形態であってもよい。
【００２０】
上記バンド体１７は、ケーブル１０を締結（即ち、結束）可能なように可撓製を有する合成樹脂により形成されている。このバンド体１７の長手方向の一端側には、バンド体１７の他端側が挿通可能な挿通孔３１を有するヘッド部３２が一体に形成されている（図３（ｂ）参照）。そして、周知のとおり、バンド体１７の一方の表面には、鋸歯状の係止突起３３がバンド体１７の長手方向に多数並んで形成されている。一方、ヘッド部３２の挿通孔３１内には、挿通孔３１に挿通されたバンド体１７の係止突起３３に係止する係止片３４が設けられている。この係止片３４の係止作用は、挿通孔３１からバンド体１７を引き抜く方向にのみ機能して、バンド体１７の締め付け状態を解除不能にできる。なお、上記バンド体としては、上述の係止形態に限られず、他の係止形態を採用してもよい。例えば、バンド体と別体のクリップ等の固定具によりバンド体の締め付け状態を解除不能にする形態や、バンド体の長手方向に沿って形成された係合部同士の係合によりバンド体の締め付け状態を解除不能にする形態を採用できる。
【００２１】
上記保持部材取付部１８には、バンド体１７を挿通可能な貫通孔３６が形成されている。この保持部材取付部１８は、本体部１９の２つの係止部１５、１６の間に配置される底板３７と、底板３７の両縁側から立ち上がる一対の側板３８ａ、３８ｂと、一対の側板３８ａ、３８ｂの上端を繋いで底板３７を覆う天板３９と、を備えており、これら各板３７、３８ａ、３８ｂ、３９の内側に貫通孔３６が形成されている。この貫通孔３６は、係止部１５、１６が係止するリップ部７ａ、７ｂに沿って延びる方向（即ち、本体部１９の左右方向Ｑ）に貫通形成されている。また、貫通孔３６の中心は、本体部１９の前後方向Ｐにおいて中央から反弾接片形成側寄りにずれている（図６（ｂ）参照）。ただし、貫通孔３６として、中心が本体部１９の前後方向Ｐの中央に配置されたものを採用してもよい。また、天板３９の左右方向Ｑの長さは、平面視で底板３７の左右方向Ｑの両端側が露呈するように、底板３７及び側板３８ａ、３８ｂの左右方向Ｑの長さよりも短い寸法に設定されている。さらに、天板３９の下面は、本体部１９の左右方向Ｑにおいて中央側から両端側に向かって高くなるような傾斜状に形成されている（図６（ｃ）参照）。これら天板３９の長さ設定及び天板３９の傾斜状の下面により、貫通孔３６へのバンド体１７の挿通性が高められる。なお、上記本体部１９の反弾接片形成側の係止部１６と側板３８ｂとは直接連絡されているが、本体部１９の弾接片側の係止部１５と側板３８ａとは段差部４３を介して連絡されている。この段差部４３は、駒体３の前後方向Ｐに沿って複数（具体的に２個）設けられている。
【００２２】
上記弾接片２１は、本体部１９の脚部２４の外面に一端が接続される略Ｕ字の湾曲板部４５と、湾曲板部４５の先端側から斜め上方に向かって延びる平板部４６と、を備えている（図６参照）。この弾接片２１は、全体として略Ｊ字板状に形成されており、本体部１９に対して片持ち状態で支持されている。また、湾曲板部４５の板厚は、平板部４６の板厚よりも小さな寸法に設定されている。そして、平板部４６の先端がベース材２の一方の側壁６ａ（６ｂ）に押圧されて湾曲板部４５が弾性変形することで、一方の側壁６ａ（６ｂ）に対して弾接片２１が弾接するようになっている（図３（ａ）参照）。なお、上記弾接片としては、上述の略Ｊ字板状で片持ち支持のものに限らず、その他の形態のものを採用してもよい。例えば、略Ｖ字板状や略Ｃ字板状の形態を採用できるし、片持ち支持でなく両持ち支持の形態を採用できる。
【００２３】
上記本体部１９の反弾接片形成側には、弾接片２１が一方の側壁６ａ（６ｂ）に弾接するときに、他方の側壁６ｂ（６ａ）側のリップ部の先端１３に当接するリップ部先端当接部４８が設けられている（図３（ａ））。このリップ部先端当接部４８は、本体部１９における、他方の側壁６ｂ（６ａ）側のリップ部の内面１２に係止する一方の係止部１６に隣接して配置されている。具体的に、リップ部先端当接部４８は、一方の係止部１６に隣接して立ち上がる側板３８ｂにより構成されている。そして、リップ部先端当接部４８は、駒体３が浅形のベース材２の底壁５に当接した状態で、ベース材２のリップ部の先端１３に当接可能とされている（図７（ｄ）参照）。ただし、リップ部先端当接部４８は、駒体３が深形のベース材２（図９参照）の底壁５に当接した状態で、ベース材２のリップ部の先端１３に当接しない。さらに、本体部１９の弾接片２１側には、一方の側壁６ａ（６ｂ）側のリップ部の先端１３に当接可能なリップ部先端当接部４９が設けられている（図９（ｂ）及び図１０（ｂ）参照）。このリップ部先端当接部４９は、一方の係止部１５に隣接して配置される段差部４３により構成されている。このリップ部先端当接部４９は、リップ部先端当接部４８と協働してベース材２の一対のリップ部間である開口部８内に入り込むことで、開口部８における幅方向すなわち駒体３の前後方向Ｐの外力による移動を防止し、弾接片２１の変形を阻止し、同方向のがたつきを防止している。
【００２４】
ここで、上記弾接片２１が一方の側壁６ａ（６ｂ）に弾接するとき、弾接片２１の弾発力により駒体３のリップ部先端当接部４８が他方の側壁６ｂ（６ａ）側のリップ部の先端１３に押圧されることにより、駒体３の本体部１９は、ベース材２の底壁５から離間した位置に仮保持される（図８（ａ）参照）。この仮保持された駒体３の本体部１９は、ベース材２の開口部８の延びる方向に沿った移動（即ち、駒体３の前後方向Ｐ及び左右方向Ｑへの移動）が規制されるとともに、ベース材２の開口部８の深さ方向に沿った移動（特に、駒体３の落下）が規制される。そして、図３に示すように、仮保持された駒体３の貫通孔３６にバンド体１７を挿通し、バンド体１７によりケーブル１０を締結することで、駒体３が開口部８の外方に向かって引き上げられ、各係止部１５、１６がリップ部の内面１２に係止する。このとき、バンド体１７は、ベース材２にケーブル１０を押し付けるとともに、ケーブル１０と駒体３の各係止部１５、１６とでベース材２のリップ部７ａ、７ｂを挟持するようにしてケーブル１０を保持する。なお、上記リップ部７ａ、７ｂの挟持を邪魔しないように、弾接片２１の先端は、係止部１５、１６がリップ部の内面１２に係止する前に、ベース材の側壁６ａ（６ｂ）とリップ部７ａ（７ｂ）との境界の角部に当接しない。
【００２５】
次に、上記構成の配線・配管材保持台座１を用いてケーブル１０を保持する方法を説明する。
図７（ａ）、（ｂ）に示すように、駒体３の本体部１９を弾接片側から浅形のベース材２の開口部８に挿入し、図７（ｃ）に示すように、弾接片２１を一方の側壁６ａに当接させ且つ傾斜面２６を他方の側壁６ｂのリップ部７ｂに当接させた状態より、本体部１９の反弾接片形成側を開口部８に挿入する方向へと傾動させる。すると、弾接片２１が弾性変形しつつ側壁６ａ上を上方に摺動し、本体部１９の反弾接片形成側が開口部８から内部に挿入される。このとき、図７（ｄ）に示すように、駒体３の脚部２４、２５がベース材２の底壁５上に載置されるとともに、弾接片２１の弾発力により駒体３のリップ部先端当接部４８が他方の側壁６ｂ側のリップ部の先端１３に押圧され、駒体３は、ベース材２の底壁５に当接した位置に仮保持される。
【００２６】
次に、図８（ａ）に示すように、指先等で駒体３を引き上げることで、駒体５は、ベース材２の底壁５から離間した位置に仮保持される。次いで、図８（ｂ）に示すように、仮保持された駒体３の貫通孔３６にバンド体１７を挿通する。その後、図８（ｃ）に示すように、駒体３と対応する位置でベース材２を横切るようにケーブル１０を配置し、バンド体１７をケーブル１０の外周に巻き回して締め付けることで、バンド体１７によりケーブル１０を締結して保持する。このとき、図８（ｄ）に示すように、バンド体１７は、ベース材２にケーブル１０を押し付けるとともに、ケーブル１０と駒体３の各係止部１５、１６とでベース材２のリップ部７ａ、７ｂを挟持するようにしてケーブル１０を保持する。このように、配線・配管保持台座１に仮保持された駒体３の貫通孔３６にバンド体１７を挿通し、バンド体１７によりケーブル１０を保持することで、配線・配管材保持装置Ｄが構成される。
【００２７】
なお、本実施形態では、駒体３をベース材２の底壁５から離間した位置に仮保持し（図８（ａ）参照）、その状態より駒体３の貫通孔３６にバンド体１７を挿通するようにしたが、これに限定されず、例えば、駒体３をベース材２の底壁５に当接した位置に仮保持し（図７（ｄ）参照）、その状態より駒体３の貫通孔３６にバンド体１７を挿通し、バンド体１７でケーブル１０を締結する際に、駒体３を引き上げるようにしてもよい。
【００２８】
次に、上記駒体３を深形のベース材２に仮保持する方法を説明する。
図９（ａ）に示すように、駒体３の本体部１９を弾接片側からベース材２の開口部８に挿入し、図９（ｂ）に示すように、弾接片２１を一方の側壁６ａに当接させ且つ傾斜面２６を他方の側壁６ｂのリップ部７ｂに当接させた状態より、指先等で駒体３を底側から支えつつ、本体部１９の反弾接片形成側を開口部８に挿入する方向へと傾動させる。すると、駒体３のリップ部先端当接部４９が一方の側壁６ａ側のリップ部の先端１３に当接した状態で、弾接片２１が弾性変形しつつ側壁６ａ上を上方に摺動し、本体部１９の反弾接片形成側が開口部８から内部に挿入される。このとき、図９（ｃ）に示すように、弾接片２１の弾発力により駒体３のリップ部先端当接部４８が他方の側壁６ｂ側のリップ部の先端１３に押圧され、駒体３は、ベース材２の底壁５から離間した位置に仮保持される。なお、上記駒体３の仮保持後には、浅形のベース材２に対するケーブル１０の保持作用と略同様にして、仮保持された駒体３の貫通孔３６に挿通したバンド体１７によりケーブル１０を保持する。
【００２９】
次に、上記駒体３を深形のベース材２に仮保持する他の方法を説明する。
図１０（ａ）に示すように、駒体３を適当な傾斜姿勢でベース材２の開口部８に挿入してベース材２内に配置し、図１０（ｂ）に示すように、駒体３のリップ部先端当接部４９が一方の側壁６ａ側のリップ部の先端１３に当接した状態で、弾接片２１を一方の側壁６ａに当接させて弾性変形させつつ、駒体３の反弾接片形成側を開口部８の外方に向かう方向へと傾動させる。すると、図１０（ｃ）に示すように、弾接片２１の弾発力により駒体３のリップ部先端当接部４８が他方の側壁６ｂ側のリップ部の先端１３に押圧され、駒体３は、ベース材２の底壁５から離間した位置に仮保持される。なお、上記駒体３の仮保持後には、浅形のベース材２に対するケーブル１０の保持作用と略同様にして、仮保持された駒体３の貫通孔３６に挿通したバンド体１７によりケーブル１０を保持する。
【００３０】
なお、上記深形のベース材２から仮保持された駒体３を取り外す場合、指先等で仮保持された駒体３をベース材２の底壁５まで落とし込み、その駒体５を適当な傾斜姿勢として摘み上げてベース材２内から取り出す。一方、浅形のベース材２から仮保持された駒体３を取り外す場合、指先等で仮保持された駒体３をベース材２の長手方向に沿って移動させ、ベース材２の側方端部から取り出す。
【００３１】
次に、本実施形態の配線・配管材保持台座１の作用・効果を説明する。
本実施形態の配線・配管材保持台座１は、底壁５、側壁６ａ、６ｂ、リップ部７ａ、７ｂ及び開口部８を有する略Ｃ字状の一定断面のベース材２と、２つの係止部１５、１６と保持部材取付部１８とを有する本体部１９を備え、ベース材２の一方の側壁６ａ（６ｂ）の内面に弾接する弾接片２１が本体部１９から延設された駒体３と、からなり、駒体３の本体部１９における弾接片２１が形成された側との反対側には、他方の側壁６ｂ（６ａ）側のリップ部７ｂ（７ａ）における底壁５と対向するリップ部内面１２に係止する係止部１６に隣接し、他方の側壁６ｂ（６ａ）側のリップ部７ｂ（７ａ）における、一方の側壁６ａ（６ｂ）側のリップ部７ａ（７ｂ）と対向する先端１３に当接するリップ部先端当接部４８が設けられているので、弾接片２１の弾発力により駒体３のリップ部先端当接部４８が他方の側壁６ｂ（６ａ）側のリップ部の先端１３に押圧されることで、ベース材２の一方の側壁６ａ（６ｂ）と他方の側壁６ｂ（６ａ）側のリップ部７ｂ（７ａ）との間に駒体３が仮保持される。そのため、ベース材２の深さにかかわらず駒体３を仮保持できる。
【００３２】
そして、本実施形態では、駒体３の本体部１９は、ベース材２の底壁５から離間した位置に仮保持されるので、保持部材取付部１８の貫通孔３６がベース材２の開口部８の近傍に位置するように駒体３を仮保持できる。そのため、貫通孔３６に対してバンド体１７を容易に挿通して取り付け得るとともに、バンド体１７によりケーブル１０を容易に締結して保持できる。
また、本実施形態では、駒体３の本体部１９は、開口部８の延びる方向に沿った移動が規制されるので、駒体３のベース材２の長手方向への自由移動が規制される。そのため、ベース材が縦向き等に配設される場合でも、駒体が自然落下したり移動するのを防止できるので、保持部材で締結する際に駒体を保持している必要がなく、貫通孔３６に対してバンド体１７を容易に挿通して取り付け得るとともに、バンド体１７によりケーブル１０を容易に締結して保持できる。
【００３３】
また、本実施形態では、駒体３の本体部１９を弾接片側から、ベース材２の開口部８に挿入し、本体部１９の反弾接片形成側を開口部８に挿入する方向へと傾動させることで、弾接片２１が弾性変形し、反弾接片形成側が開口部８から内部に挿入される。これにより、ベース材２の開口部８の外方から駒体３を容易に挿入して仮保持できる。これに対して、従来のように、一旦ベース材１０２内に駒体１０３を入れてから平面視で９０度回転させる形態（図１３参照）では、弾性脚部１２１を弾性変形させつつ駒体１０３を９０度回転させる必要があり、煩雑な仮保持作業となる。
さらに、本実施形態では、駒体３のリップ部先端当接部４８は、駒体３が浅形のベース材２の底壁５に当接した状態で、ベース材２のリップ部の先端１３に当接する。これにより、駒体３は、ベース材２の底壁５上に落ち込んでも、正規の姿勢を維持した状態で、ベース材２の長手方向にずれない。
【００３４】
また、本実施形態では、駒体３の係止部１５、１６がベース材２のリップ部内面１２に係止した状態で、駒体３の本体部１９の開口部８から外方に臨む箇所は、ベース材２の側壁６ａ、６ｂの先端側外面よりも突出しない。これにより、バンド体１７の取り付けやケーブル１０の保持の際に駒体３が邪魔にならず、作業性が高められる。
さらに、本実施形態では、バンド体１７で締結することで、ベース材２にケーブル１０を押し付けることができ、この押し付け力で駒体３の係止部１５、１６とともにベース材２のリップ部７ａ、７ｂを挟持して、ベース材２に対するケーブル１０のずれを防止できる。そのため、バンド体１７によりケーブル１０を強固且つ安定的に締結して保持できる。
【００３５】
ところで、上記実施形態の配線・配管材保持台座１では、ベース材２に仮保持された駒体３の貫通孔３６にバンド体１７を挿通する形態を例示したが、これに限定されず、例えば、予め貫通孔３６にバンド体１７を挿通した駒体３をベース材２の開口部８から挿入して仮保持するようにしてもよい。具体的に、図１１（ａ）に示すように、駒体３の貫通孔３６にバンド体１７を予め挿通しておき、図１１（ｂ）に示すように、バンド体１７が挿通された駒体３の弾接片側をベース材２の開口部８に挿入して傾動させて、図１１（ｃ）に示すように、駒体３をベース材２に仮保持する。この形態によると、駒体３は、バンド体１７を保持部材取付部１８の貫通孔３６に挿通した状態で、ベース材２の開口部８から挿入可能であるので、予め貫通孔３６にバンド体１７を挿通した駒体３をベース材２の開口部８から挿入して仮保持できる。そのため、バンド体１７によりケーブル１０を迅速に締結して保持できる。
【００３６】
また、上記実施形態では、ベース材２の開口部８から駒体３を挿入して仮保持するようにしたが、これに限定されず、例えば、ベース材２の側方端部から駒体３を挿入して仮保持してもよい。具体的に、図１２（ａ）に示すように、ベース材２の側方端部に対して駒体３の左右方向Ｑの一端側を対向させた状態より、駒体３をベース材２の側方端部から挿入する。このとき、弾接片２１を一方の側壁６ａに押圧して弾性変形させつつ、リップ部先端当接部４８が他方の側壁６ｂ側のリップ部の先端１３に押圧されるように駒体３を挿入し、図１２（ｂ）に示すように、その駒体３をベース材２の長手方向に沿って所望の位置まで移動させて仮保持する。なお、深形のベース材２の側方端部から駒体３を挿入する場合、上述と略同様の仮保持形態の他に、挿入された駒体３をベース材２の長手方向に沿って所望の位置まで移動させ、その後、駒体３を指先等で引き上げて、弾接片２１を一方の側壁６ａ（６ｂ）に押圧して弾性変形させつつ、リップ部先端当接部４８が他方の側壁６ｂ（６ａ）側のリップ部の先端１３に押圧されるように駒体３を仮保持する形態も採用できる。
【００３７】
また、上記実施形態では、弾接片２１の弾発力により、他方の側壁６ｂ（６ａ）側に押圧された、駒体３の本体部１９におけるベース材２と当接する箇所は、リップ部の先端１３であるが、本発明を実施する場合には、これに限られるものではなく、他方の側壁６ｂ（６ａ）の内面であってもよい。すなわち、駒体３のリップ部先端当接部４８は、省略してもよいし、リップ部先端当接部４９とともに、ベース材２の開口部８における幅方向のずれを防止するものとしてのみに利用してもよい。
【００３８】
更に、上記実施形態において、浅形のベース材２に取り付けるときに、脚部２４，２５がベース材２の底壁５に当接する位置で、リップ部先端当接部４８が、リップ部の先端１３に当接しているが、深形のベース材２に合わせて、脚部２４，２５を図４の下方に延長して長く伸ばし、または、リップ部先端当接部４８を下方に延長して、駒体３がベース材２の底壁５に当接する位置で、リップ部先端当接部４８がリップ部の先端１３に当接するようにしてもよい。
【００３９】
加えて、駒体３における脚部２４，２５の内側間隔は、開口部８の幅であるリップ部間の幅よりも狭く形成されているとともに、保持部材取付部１８の貫通孔３６の幅よりも広く形成されている。そのため、脚部２４，２５間の空間を利用して、貫通孔３６に挿通されるバンド体１７よりも幅広のバンド体でケーブル１０を締結保持することもできる。この場合は、脚部２４，２５間の空間も保持部材取付部として作用する。
【００４０】
さらに、上記実施形態では、駒体３として、平面視で略矩形状の本体部１９を備えるものを例示したが、これに限定されず、例えば、平面視で略円形状、略楕円形状、５角以上の多角形状の本体部を備えるものを採用してもよい。さらに、合成樹脂ではなく金属により形成される駒体を採用してもよい。さらに、上記実施形態では、２種類の深さの異なるベース材２に対応する駒体３を例示したが、これに限定されず、例えば、３種類以上の深さの異なるベース材に対応する駒体としてもよい。
【００４１】
さらに、上記実施形態では、保持部材として、保持部材取付部１８の貫通孔３６に挿通されてケーブル１０を締結するバンド体１７を例示したが、これに限定されず、例えば、保持部材取付部１８にネジ止め、嵌合等により取り付けられてケーブル１０を把持するサドル等を採用してもよい。
【００４２】
さらに、上記実施形態では、配線・配管材として、ケーブル１０を例示したが、適用される配線・配管材はこれに限定されず、ケーブル等の配線の他に、線管、給水管、給湯管等の配管材としてもよい。
【符号の説明】
【００４３】
１  配線・配管材保持台座              １３  リップ部の先端
２  ベース材                          １５，１６  係止部
３  駒体                              １７  バンド体（保持部材）
５  底壁                              １８  保持部材取付部
６ａ，６ｂ  側壁                      １９  本体部
７ａ，７ｂ  リップ部                  ２１  弾接片
８  開口部                            ３６  貫通孔
１０  ケーブル（配線・配管材）          ４８  リップ部先端当接部
１２  リップ部の内面                      Ｄ  配線・配管材保持装置
【図１】
2019041479.tif 000003
【図２】
2019041479.tif 000004
【図３】
2019041479.tif 000005
【図４】
2019041479.tif 000006
【図５】
2019041479.tif 000007
【図６】
2019041479.tif 000008
【図７】
2019041479.tif 000009
【図８】
2019041479.tif 000010
【図９】
2019041479.tif 000011
【図１０】
2019041479.tif 000012
【図１１】
2019041479.tif 000013
【図１２】
2019041479.tif 000014
【図１３】
2019041479.tif 000015